Podtech/llm-jp-corpus-v4-ja_patent huggingface dataset:
(57)【要約】【課題】  口臭の大きな原因の一つとなっている舌のひだの間に残された食べ物のカスは、歯ブラシでみがくと効果的に取り去ることができるが、歯ブラシが使える状況は少なく、ガムをかんだり飴をなめたりして一時的に対処することが多く、その効果はうすいものであった。ガムをかんだり、飴をなめたりする行為と同時に舌もみがけるという効果を持たせられれば、場所を選ばずにある程度口臭を取り去ることができる。【解決手段】  粒ガムや板ガム、飴等の表面に小さな粒子２を付着させたり、突起を形成する等し、これを口の中に入れて舌の上で転がしたり、上あごに押し付けて舌をこすりつけることにより、表面の粒子や突起が舌のひだの間をこすり、ここに残された食べ物のカスをこすり取る働きを持たせる。この粒子や突起物は当然食しても害がないもので作成されており、この動作の後は普通にガムをかんだり、飴をなめたるする行為に入っていけるのである。【選択図】  図１
2006230384.tif 000002
【特許請求の範囲】
【請求項１】
粒ガムや板ガムの表面に、粒子または粒子状のものを付着させ、これを口の中に入れて舌の上で転がしたり、上あごに押し付けて舌をすりつけたりすることにより、この粒子のつくる突起が舌のひだの間をこすり、ここに残っている食べ物の残りカス等をこすり取り、口臭の原因となる物質を舌の上からなくす効果を持たせたもの。また、飴等の表面にも同様の加工をすることにより同様の効果を持たせたもの。
【請求項２】
粒ガムや板ガムの表面あるいは表面をつくる糖衣にあたる部分に突起状のものを形成させ、請求項１に記載の効果を持たせたもの。また、飴等の表面にも同様の加工をすることにより同様の効果を持たせたもの。
【発明の詳細な説明】
【技術分野】
【０００１】  本発明は、ガムや飴等のように口の中に一定時間おかれ、それを食しても害がないような食品の表面に、これも食しても害がないような粒子を付着させたり、製造の段階で突起を形成させる等し、これを舌の上で転がしたり、舌をすりつけたりする事等により、舌のひだの間に残された食べ物の残りカス等をこすり取り、歯ブラシで舌みがきをしたことに準ずる効果を持たせ、口臭の原因を解消させるためのものである。
【背景技術】
【０００２】  従来のガムは、かんで楽しむことや虫歯予防を主の目的としており、口臭対策に関しては、歯間のカスをわずかに取ったり、香料等により臭いを打ち消したり軽減させるものがほとんどで、この効果はあまり持続せず、口臭の大きな原因となっている舌のひだの間にたまったカスを除去する効果を持ったものはなく、歯ブラシでこすり取る以外に効果的な方法がなかった。また飴に関しては、その味覚を楽しむことやのどの痛みを取ること等が主な目的で、口臭対策に関してはあまり効果があるものはなかった。
【発明の開示】
【発明が解決しようとする課題】
【０００３】  舌のひだの間に残された食べカス等は歯ブラシでこすることにより効果的に取り除くことができるが、急にその必要が生じた際、歯ブラシを使える場所は限られており、それを実行することはとても困難な場合が多く、初めからそれをすることをあきらめている人がほとんどである。本ガムを携帯することで、ガムをかむという行為の前に舌の上で転がすというわずかな行為を付け加えることにより、舌のひだの間に残された口臭の原因となっているカスをけずり落とし、ガムに含まれている香料等により口臭を大幅に軽減させることを課題とする。
【課題を解決させるための手段】
【０００４】  どんな場所ででも口にすることができるガムや飴により、口臭の原因となる舌のひだの間に残されたカス等が取れれば、口臭の大半は解決する。そのためには、ガムや飴の表面に小さな粒子を散りばめて付着させたり、糖衣にあたる部分に突起を形成し、その粒子等による突起が舌のひだの間をこすることにより、そこに残された食べカス等をこすり取ることにより、口臭の大きな原因をかなり減らせることができる。粒ガムや飴は舌の上にのせ、舌で上あごに押し付けるようにして舌をすりつけると効果的に舌のひだの間をこすることができ、板ガムは端を前歯でかんで固定し、舌をすりつけることにより効果的に舌をみがくことができるのである。また、糖衣はシュガーレスなものを使うのが適切である。
【発明の効果】
【０００５】  本発明は、すぐにも口臭を消したい際、歯ブラシによる舌みがき等の行為がすぐには取れないような状況下においても、このガムや飴を舌の上で転がしたり、上あごに押し付けて舌をすり付けたりすることによりこれが可能となる。このガムや飴により舌のひだの間のカスを取り除くことにより、口臭を長時間軽減させることができる。また、食後に用いることで食後口の中に残されたぬめり等の不快感も取れ、すっきりとした感覚を得られるのである。
【発明を実施するための最良の形態】
【０００６】  本発明は、虫歯対策や口臭対策を主な目的とする粒ガムや板ガムを作成する際、作成の最終段階でガムの表面に小さな粒子を散りばめて付着させるか糖衣にあたるものを形成する際にそれに突起をつけた形状にすることにより可能となる。この粒子等のつくる突起に舌のひだの間に入り込んでそこに残された食べ物のカス等をこすり取るような効果を持たせたものである。これは飴を作る際にも表面に突起を形成することにより同様の効果を得られるものができるのである。粒子はけしの実を使うか、同程度の大きさで口の中でしだいに溶ける粒子を作成し、これを表面に付着させるのが適切である。付着は片面だけでも良く、両面同等の効果が得られるものである。
【図面の簡単な説明】
【０００７】
【図１】  本発明実施例の粒子を付着させた粒ガムの断面図である。
【図２】  本発明実施例の糖衣で突起を形成させた粒ガムの断面図である。
【図３】  本発明実施例の粒子を付着させた板ガムの斜視図である。
【符号の説明】
【０００８】  １  ガム本体
２  表面に付着された粒子
３  糖衣にあたる部分
４  糖衣を加工して作った突起
【図１】
2006230384.tif 000003
【図２】
2006230384.tif 000004
【図３】
2006230384.tif 000005
(57)【要約】【課題】生桃、他の果実については、鮮度保管、長期保管、賞味期限等でいろいろな研究が行われていますが、特に規格外、等外、落下果実のロス作物が多く、本来の成分を保持しながら再加工し、商品化に出来ないかを考えた。又、農産廃棄物をさらに収入源として農家経営に増収できる観点も重要である。【解決手段】落下、規格外、等外、桃をボイル殺菌洗浄し、余計な水分を早く取り除く為、剣山状の針か切り目で桃の回り表面にピンホール加工します。加工し終わった桃は瞬間冷凍保存し、凍結後に真空冷凍処理します。又、未熟果実は糖湯で煮沸処理後、瞬間冷凍保存し真空冷凍処理します。又、乾燥度調節を行う事により半熟、完全乾燥と処理する事が可能です。これによって長期保管、賞味期限延長をする事が可能になります。【特許請求の範囲】
【請求項１】
この製法については、桃他、果実類の等外品，規格外品、未熟果実の果実を丸ごと，原型を維持しながら真空冷凍乾燥処理した乾燥桃と未熟桃の味付け半熟桃を加工する事から長期保管、賞味期限延長を目的とした製法である。
【発明の詳細な説明】
【技術分野】
【０００１】  災害、天災等で落下果実、等外品，規格外品、未熟品の丸ごと果実の真空冷凍乾燥技術に関して
【背景技術】
【０００２】  従来の生桃の保管状況としては保冷貯蔵で保管され、適時に出荷されていますが市場に出てからは１〜２週間が賞味期間とされ、鮮度管理上、通常の生果実同様に管理が難しい問題があった。【０００３】  又、長期保存の面でも果実自体、殆どが水分成分が多く、水分の腐敗酸化が長期保管、賞味期間延長にいたることは難し問題であった。
【発明の開示】
【発明が解決しようとする課題】
【０００４】  本来、桃の成分を維持しながら長期保管、賞味期限延長を考えるには果実の乾燥加工が主として考えられてきたが乾燥手段としては主に熱乾燥、ドライ乾燥加工方法があり、スライス、粉砕処理後加工が多く、桃に含まれる、繊維成分ペクチン、カロテン等は乾燥処理段階で成分破壊によって体内摂取が少なかった、又、天災時の落下果実についても成分未熟状態を従来の乾燥加工では栄養素を補充する事は出来なかった。
【課題を解決するための手段】
【０００５】  桃自体の成分では食物繊維が殆ど形成され、特に整腸剤としてペクチンは大きな栄養成分である。他にはパントテン酸、ナイアシンが含有比率としては高い、これらの成分を濃縮する為に真空冷凍乾燥加工により、落下果実、等外品、規格外品を成分濃縮採取する方法を考えた。【０００６】  又、桃にカリウムが多く含有されることから、スライス、粉砕の場合は熱処理段階で成分破壊が発生しやすく、それに比べて丸ごとの場合は成分破壊利率が少ない。【０００７】  未熟桃、果実類に関しては煮沸成分補給により、本来の桃成分に調整し、真空冷凍乾燥処理によって商品復帰が可能となる。
【発明の効果】
【０００８】  本来、等外、規格外の果実は農家の収入源には貢献されておらず廃棄物、肥料として処理されていましたが本加工処理する事により付加価値、地場特産として生まれ変わる事が出来ます。又、食味、糖分含有についても本来の桃と比較し、変わらない状態で商品化が出来ます。又、フリーズ処理を行っている為、生の賞味期間よりも３ヶ月から１年の長さで加工することが出来、保存管理上でも経費を削減できます。【０００９】  又、真空冷凍乾燥は凍結部と桃自体の水分だけを真空状態でバキュームしますので成分要素は殆ど残留し、水分の中和溶液が真空ポンプでバキュームされますので等外品、規格外品等は桃自体の糖分が増し美味しい状態に変化します。
【発明の実施するための最良の形態】
【００１０】  本製法に関しては等外、未熟桃の糖分、成分を基準値に近い状態に加工する方法で等外、規格外桃に関しては丸ごと、洗浄、殺菌後に水分救出を早める為、剣山、切り目とを入れ遠心分離機にかけ極力、余分な水分を取り除き、補助冷凍、真空冷凍乾燥処理する乾燥桃と未熟桃に関しては丸ごと、一端、糖湯で８０℃で３０分煮沸処理した後に遠心分離機、補助冷凍、真空冷凍乾燥処理を行います。乾燥桃と半熟桃は真空冷凍乾燥の乾燥度で調節し、素材の桃状態で処理方法を変えることが出来ます。
【００１１】  桃自体。水分が８８．７％含んでおり、その反面。痛み、腐敗が早く進む原因にもなります。今回の余分な水分を取り除き、乾燥、半熟処理を行う事で賞味期間の延長、栄養成分の保持、保管管理面の省力化が可能になります。
(57)【要約】      （修正有）【課題】苔類を環境浄化、生態系回復改善、美観の改善、パブリックアート、心の癒し効果などに利用する苔緑化構造体の提供。【解決手段】スナゴケ、ハイゴケ、シノブゴケからなる群から選択される苔類およびその種苗を特殊形状からなる構造物に苔類を接着溶液にて処理し成形された立体緑化構造体としての苔類を得る。あるいは、それらの成形された緑化構造体を遮光ネットにより屋内外における栽培方法により容易に栽培、増殖が容易になる。１は、皮膜された苔、２は、素焼き陶器製壺の内部、３は、壺内の水の透水方向、４は、壺の凹凸面である。【選択図】図１
2006230326.tif 000002
【特許請求の範囲】
【請求項１】
スナゴケ、ハイゴケ、シノブゴケからなる群から選択された苔類を、素焼き壺を培地に苔の固有の活着力を発揮させ固定化された緑化構造物体を形成する苔類。
【請求項２】
スナゴケ、ハイゴケ、シノブゴケからなる群から選択された苔類の種苗を、素焼き壺を培地に苔の固有の活着力を発揮させて固定化された緑化構造物体。
【請求項３】
スナゴケ、ハイゴケ、シノブゴケからなる群から選択された苔類を、栽培、生育し、苔の仮根が固着しやすい空間と形状を保有し、かつ透水性を保持し又保水性を合わせもつ特殊空間と特殊形状を有する緑化構造物体。
【請求項４】
浸透圧による透水性の陶器、金属、ガラス、合成樹脂などのを基材にした苔を、生育させた癒しの表現物。
【請求項５】
浸透圧による透水性の陶器、金属、ガラス、合成樹脂などを基材に使用し苔を生育させた土木設備品およびそれらの土木設備品に固定化された苔。
【請求項６】
浸透圧による透水性の陶器、金属、ガラス、合成樹脂などの表面に苔が活着しやすいように透水性と保水性をあわせもつ凹凸の形状を保有する表現造形物。
【請求項７】
浸透圧による透水性の陶器、金属、ガラス、合成樹脂などの凹凸形状のある特殊表面に苔および苔の仮根あるいは苔の種苗などが生育し固定化が安定的に持続する為の促進液を構造体に塗布あるいは散布する方法。
【発明の詳細な説明】
【技術分野】
【０００１】
本発明は、苔類の生育、栽培、利用方法に関する。更に詳しくは、緑化構造体にすることにより、環境改善、美観の改善、芸術文化の表現などに利用する方法に関する。
【背景技術】
【０００２】
苔類は、天然には古木、湿地、岩石などに生育する植物であり、一般に人工的に栽培することが難しいと言われている。このような苔類が容易に建築物の内外における庭園を含む空間に生育できれば断熱効果とか保温効果、さらにはそれらを享受する者の心に潤いと優しさなどを喚起させる心の癒し効果が大きいと近年知られている。例えば園芸雑貨市場における苔玉などのブームは好例であるが、一過性の緑化であり永続的に生育させる試みは未だに成功していない現状である。
【特許文献１】特願２００１−１７６２２６号公報
【発明の開示】
【発明が解決しようとする課題】
【０００３】
従来の技術の如く、苔類の固有の生命サイクルとリズムを物理的強制的固定化をすることで苔の細胞を破壊し、又は固有の生育方法の仮根による固着化を阻害する手法ではなく、苔本来の仮根および植物体を生育させて養生、生育、栽培させる工法、手法が求められている。
【課題を解決するための手段】
【０００４】
本発明は、スナゴケ、ハイゴケ、シノブゴケからなる群から選択された苔類を特殊空間あるいは表面形状と透水性、保水性を保有した陶器、金属、ガラス、合成樹脂に保水性を高める特殊天然溶液を用いて苔類およびその種苗を内包、固定化させて生育栽培させ、苔類の仮根の固着力をもって植物体が固定化された苔および苔緑化構造体を提供する。
【０００５】
本発明は、スナゴケ、ハイゴケ、シノブゴケからなる群から選択された苔類をおよびその種苗を透水性のある特殊空間あるいは凹凸の表面形状に固定し生育させる方法を提供する。
【０００６】
このような本発明により、上記問題は解決される。
【発明を実施するための最良の形態】
【０００７】
本発明は、スナゴケ、ハイゴケ、シノブゴケからなる群から選択される苔類を、先に出願済みの「シート状に成形された苔類」（特願２００１−１７６２２６）の手法および工法により実現できる。
【０００８】
本発明は、スナゴケ、ハイゴケ、シノブゴケからなる群から選択される苔類を、苔類および種苗を生育させる凹凸表面のある形状に成形された素焼き陶器製壺を生育基盤として固定化させる。
【０００９】
本発明は、スナゴケ、ハイゴケ、シノブゴケからなる群から選択される苔類を、上記の素焼き製壺に固着させる事により素焼き製壺の透水性の効果により生育を促進させ増殖を促す機能を保有する。
【００１０】
本発明は、スナゴケ、ハイゴケ、シノブゴケからなる群から選択される苔類およびその種苗を、出願済みの「シート状に成形された苔類」（特願２００１−１７６２２６）に使用されるアルギン酸ナトリウム０．５から２％希釈溶液と混合させ容易に構造体に添付あるいは吹き付け後に塩化カルシウム１から１０％希釈溶液に浸ける事により強固なマイクロカプセル層を形成させる事により植物体の安定的な固定化を計る手法および工法を容易に提供する。
【００１１】
本発明は、スナゴケ、ハイゴケ、シノブゴケからなる群から選択される苔類およびその種苗を、上記の手法により構造体に苔および、その種苗を固着させた透水性のある特に素焼き製壺などの緑化構造物を遮光ネットを被せて屋外は露地栽培にて短期増殖が可能となる工法を提供する。
【００１２】
本発明は、スナゴケ、ハイゴケ、シノブゴケからなる群から選択される苔類およびその種苗を、上記の手法により構造体に苔および、その種苗を固着させた特に透水性のある素焼き製壺などの緑化構造物を遮光ネットを被せて屋内はビニール・ハウスあるいはガラス・ハウス内において多重棚に設置する事により上部棚から下部棚の自然落下に委ねる潅水をしながら養生する短期増殖が可能となる工法を提供する。
【実施例】
【００１３】
１平方センチに約２から４点の１センチ高の凹凸の突起部分がある素焼き壺に、ハイゴケ、スナゴケおよびハイゴケ種苗、スナゴケ種苗を固着しビニールハウスない多重棚で１日１回ほどの潅水をし栽培養生すると約１ヶ月で壺に固着され苔の大半部分に緑色の再生芽が発芽した。
【００１４】
上記の素焼き壺をビニールハウス内において、２から３段の金属製網状棚に設置し、１日１回の潅水をすると上部棚から下段棚へ、壺内部の水が外部へ浸透し苔の植物体を媒体に棚全体の壺に水分が溢れ滴り、その結果著しく好ましい生育と増殖の結果を得た。
【図面の簡単な説明】
【００１５】
【図１】本発明の構造物の断面図である。
【図２】本発明の構造物の投影図である。
【符号の説明】
【００１６】
１  皮膜された苔
２  素焼き陶器製壺の内部
３  壺内の水の透水方向
４  壺の凹凸面
【図１】
2006230326.tif 000003
【図２】
2006230326.tif 000004
(57)【要約】【課題】  食し終わるまで熱さが保て、麺、野菜、肉などのそれぞれの旨味が増し、香ばしい麺や具が味わえ、沸騰状態をお客様の目の前で演出できて、お客様に感動と喜びを与えるラーメンを提供する。【解決手段】  厚み１ｃｍ前後の石の器を焼いて２５０℃を超える高温にし、その中に、ゆでたラーメンの麺と炒めた野菜や炒めた肉などの具を入れ、その後に９０℃に近い高温の熱いスープを入れる。【選択図】    なし【特許請求の範囲】
【請求項１】
厚み１ｃｍ前後の石の器を焼いて２５０℃を超える高温にし、その中に、ゆでたラーメンの麺と炒めた野菜や炒めた肉などの具を入れ、その後に９０℃に近い高温の熱いスープを入れることを特徴とする、お客様に供するラーメンの製造方法。
【発明の詳細な説明】
【技術分野】
【技術分野】
【０００１】  この発明は高温に焼いた石の器を使用したお客様に供するラーメンの製造方法に関するものである。
【背景技術】
【０００２】  飲食店で供されるラーメンは、別の鍋などでゆでた麺、スープ、炒めたり煮たりした野菜や肉などの具を、厚みの薄い陶器などに収めているのが一般的である。
【発明の開示】
【発明が解決しようとする課題】
【０００３】  これには、次のような欠点があった。
（ア）お客様は供された初めの頃は熱いラーメンを食することができるが、陶器の厚みが薄いため徐々にぬるくなり、美味しさが損なわれてしまう。
（イ）炒めたり煮たりしただけの野菜や肉などの具は、厚みの薄い陶器に入れただけでは、旨味が引き出せない。
【課題を解決するための手段】
【０００４】  上記の欠点をなくすために、次の製造方法を発明した。
厚み１ｃｍ前後の石の器をガスコンロで焼いて２５０℃を超える高温にする。その焼けた石の器の中に、ゆでたラーメンの麺と炒めた野菜や炒めた肉などの具を入れる。その後に９０℃に近い高温の熱いスープを入れる。
【発明の効果】
【０００５】（ア）厚み１ｃｍ前後の石の器を、２５０℃を超える高温で焼いてあるので冷めにくくなり、熱いラーメンが最後まで味わえる。
（イ）麺、野菜、肉などが入った２５０℃を超える高温で焼いた石の器の中に、９０℃の熱いスープをかけて沸騰することにより、麺、野菜、肉などのそれぞれの旨味が増し、その旨味は石の器から逃げないので、美味しく味わえる。
（ウ）一部の野菜や肉などの具が石の器の中で焼かれる状態になるので、香ばしい具を味わえる。
（エ）一部の麺が器の中で焼かれる状態になるので、香ばしい麺を味わえる。
（オ）沸騰状態をお客様の目の前で演出できるので、お客様に感動と喜びを与える。
【発明を実施するための最良の形態】
【０００６】  以下、本発明を実施するための最良の形態を説明する。
工程１：厚み１ｃｍ前後の石の器をガスコンロに乗せて２５０℃を超えるまで焼く。石の器の厚みを１ｃｍ前後にするのは、冷めにくくするためと、お客様に供するときあまり重くならないようにするための、両方のバランスを考えてのことである。
工程２：高温に焼けた石の器の中に、ラーメンの麺と野菜や肉などの具を入れる。この工程で、器に接した一部の麺や一部の野菜や肉などの具が、石の器で焼かれる状態になり、香ばしさが生じる。
工程３：麺と具の入った高温に焼けた石の器と、９０℃に近い高温の熱いスープの入った器をお客様のテーブルに運ぶ。
工程４：お客様の目の前で、麺と具の入った高温に焼けた石の器の中に、９０℃に近い高温の熱いスープを入れる。
工程５：石の器は高温に焼けているためスープが沸騰し、湯気が火山の噴煙のように立ち昇る。この工程で、火こそ使用しないが、石の器の熱によって、麺と具とスープが石の器の中で、さらに調理されることになり、麺、野菜、肉などのそれぞれの旨味が増す。その旨味は石の器から逃げることはない。
工程６：沸騰が静まりだしたら食するが、このままでは麺や具やスープが熱過ぎて食しにくいので、箸やスプーンなどで麺や具やスープを石の器の中から取り出し、別に用意してある容器に入れてから食してもよい。
工程７：麺、野菜、肉などを食した後、残っているスープの中にご飯を入れて雑炊として食することもできる。
(57)【要約】      （修正有）【課題】木天蓼特有の嫌臭、異臭、苦みを除去し、木天蓼の有効成分を失うことなく、木天蓼食品の製造方法を提供する。【解決手段】採取した木天蓼を直ぐに１００℃で３分間熱湯処理し乾燥する。乾燥後焙煎し、粗熱を取り微粉末にすることにより、木天蓼の有効成分を無くすことなく木天蓼を使用したコンニャク、豆腐、ラ−メン、うどん、蕎麦、寒天、焼菓子、菓子、餅菓子、ゼリ−、アイスクリ−ム、饅頭、マカロニ、飴の製造。【選択図】なし【特許請求の範囲】
【請求項１】
木天蓼加工食品の製造からなる食品
【請求項２】
採取した木天蓼を１００℃での３分間の熱湯処理、乾燥、焙煎、破砕、粉末の手順で微粉末にした木天蓼粉を使用し、請求項１に係る木天蓼コンニャク、豆腐、ラ−メン、蕎麦、うどん、寒天、ソフトクリ−ム、アイスクリ−ム、菓子、パン、焼菓子、餅菓子、マカロニ、飴、ゼリ−、饅頭、お茶の木天蓼食品製造
【発明の詳細な説明】
【技術分野】
【０００１】  本発明は、木天蓼の有効成分を失うことなく、特有の嫌臭、異臭、苦みを除去し安定した木天蓼食品の製造に関する。
【背景技術】
【０００２】  従来の木天蓼利用は焼酎漬け、塩漬け、生薬、お茶として利用されている、葉、蔓、茎はお茶や猫の玩具に使われているのが主であり、木天蓼特有の嫌臭、異臭、苦みから食品製造に関する報告はされていない。
【発明の開示】
【発明が解決しようとする課題】
【０００３】  木天蓼には利尿、保温、滋養、強壮、脂肪の分解、肥満解消や生活習慣病の予防に効果のある成分が多く含まれており、木天蓼食品製造にはその有効成分を失うことなく、木天蓼特有の嫌臭、異臭、苦味みを取り除くことが課題である。
【課題を解決するための手段】
【０００４】  本発明は、木天蓼を採取直後１００℃で３分間熱湯処理をし、乾燥、焙煎、粉砕、粉末の工程をすることにより、木天蓼特有の嫌臭、異臭、苦みを取り除き、木天蓼成分を無くすことなく風味のある木天蓼粉ができる、できた木天蓼粉をコンニャク、豆腐、ラ−メン、蕎麦、うどん、寒天、ソフトクリ−ム、アイスクリ−ム、菓子、パン、焼菓子、餅菓子、マカロニ、飴、ゼリ−、饅頭に１、５〜２％混ぜ木天蓼食品の製造、木天蓼粉末製造時に発生する異物、果芯、蔓はお茶として製造提供することで上記課題を解決する。
【発明の効果】
【０００５】  本発明は木天蓼特有の嫌臭、異臭、苦みを薬品を使用しないで、木天蓼に含まれている利尿、保温、滋養、強壮、脂肪の分解、肥満解消や生活習慣病の予防に効果のある有効成分を無くすことなく処理することができ、違和感なく、香味良く、誰にでも安心して食べられる食品製造が可能であり、提供することができる。
【発明を実施するための最良の形態】
【０００６】  採取した木天蓼は直ぐに１００℃で３分間熱湯処理、日干しにする、機械乾燥の場合には外気で乾かした後３０〜４０℃の温風で４０時間乾燥するが、果実の大きさにより乾燥時間が異なる、乾燥した木天蓼を１７０℃で１０分〜１５分焙煎するが焦がしてはならない、パチパチ果実がはじけるのを目安とする、焙煎後粗熱を取り、粉砕機にかけ１ｍｍ以下に粉砕し、粉引機で微粉末にする、微粉末に不向きな蔓、果芯である０．５ｍ以上の砕粉は木天蓼茶、又は煮詰めて抽出液を取り加工食品の製造に使用する。
【実施例】
【０００７】  前記述の方法で作られた木天蓼粉を、コンニャク、豆腐、寒天、アイスクリ−ム、ソフトクリ−ム、ゼリ−、飴には１、８％を従来の製造方法に混入し撹拌し製造した。餅菓子、焼菓子、饅頭、パン、マカロニ、うどん、蕎麦、ラ−メンには粉砕時除去された蔓、果芯の粉末５ｇを５５０ｃｃの熱湯で抽出した抽出液を練り込んで製造を実施した。製造された食品はいずれも香味が増し、違相感なくおいしく食することができ、ティパックした木天蓼粉は、熱湯で抽出することにより香味がでてお茶として飲用できることが確認できた。木天蓼食品の製造を実施してみることにより、木天蓼の有効成分を失うことなく安全でおいしい木天蓼加工食品を製造し提供できることが確認できた。
(57)【要約】      （修正有）【課題】腰痛を緩和する方法として家電メーカから出ている座りながら腰をもんだり軽くたたく方法や中山式快癒器の用に仰向けに寝ながら４つの突起で腰痛を緩和する方法等があるが、いずれも限られた小数の突起で指圧する感じで腰痛を緩和しているがこれを多数の突起とする腰パットを提供する。【解決手段】考案した腰パットは、仰向けに寝ながら尾てい骨から腰や背中の方まで手でずらしながら腰全体を刺激する事で腰痛を緩和する事ができる。また同じく仰向けに寝ながら腰パットを肩の下において手で腕の方までずらしながら肩を刺激する事で、肩こりも緩和する事もできる。また同じく仰向けに寝ながら高さ１０センチくらいの枕の上に腰パットを置き、かかとの下から太股の方までずらしながら刺激する事で足の疲れも緩和する。【選択図】図１
2006230572.tif 000002
【特許請求の範囲】
【請求項１】
突起を設けた腰パット
【請求項２】
突起を上と下に多数設けた請求項１記載の腰パット
【発明の詳細な説明】
【技術分野】
【０００１】
腰痛を緩和する為の腰パット
【背景技術】
【０００２】
仰向けに寝ながら腰痛を緩和する物には図のような四つの突起で腰痛を緩和する。
中山式快癒器があります。  
【特許文献１】特開平１０−１５０２６
【発明の開示】
【発明が解決しようとする課題】
【０００３】
腰パットは多数の突起で腰全体を万遍なく刺激する事で腰痛を緩和します。
【課題を解決するための手段】
【０００４】
以上の課題を解決するために突起を多数設けた腰パット
【発明を実施するための最良の形態】
【０００５】
突起の長い方が上で突起の短い方が下です。
【０００６】
あおむけに寝ながら尾てい骨に当るように腰パットを身体と床面に置きます。
【０００７】
尾てい骨から腰や背中の方まで手でずらしながら腰全体を刺激する事で腰痛を緩和する事ができます。
【実施例１】
【０００８】
腰パットを最初使用する時、図２の突起で、痛いようでしたら図３の突起を上にして使用します。
【０００９】
突起の図２の方が、図３の突起より腰痛を緩和する事ができます。
【産業上の利用可能性】
【００１０】
腰痛の人が利用します。
【図面の簡単な説明】
【００１１】
【図１】この発明の写真図である。（実施例１）
【図２】従来技術を示す斜視図である。（実施例２）
【符号の説明】
【００１２】
１    腰パット
２    長い突起
３    短い突起
【図１】
2006230572.tif 000003
【図２】
2006230572.tif 000004
(57)【要約】【課題】市販されている液体または流動物パック商品（詰め替え用パック、レトルトパック、チューブ等）は、消費者側からすると、きちんと搾り出したい。提供者側からすると、ゴミ問題における資源の無駄遣いを今以上助長したくない。パックから液体若しくは流動物を搾り出すのに手頃な器具がなく、適当な棒状のもので搾り出しているがスッキリと搾り出せていないのが現状である。【解決手段】本発明は、上握り部（５）と下握り部（４）に手を入れて、上搾り部（３）と下搾り部（２）の間に搾りたいものを挟み、ペンチの挟む要領で適度に加圧して挟み、パックまたはチューブ内の、液体若しくは流動物を押し出し、最後の搾り出し口まで搾ることができる。更に搾り出し口に残った残液も、当器具にて適度に再加圧することで全て搾り出すことができる。【選択図】図１
2006230565.tif 000002
【特許請求の範囲】
【請求項１】
液体または流動物パック等内の、液体若しくは流動物を、容器への詰め替え、移し変え、搾り出しに便利な搾る挟み。
【発明の詳細な説明】
【技術分野】
【０００１】
本発明は、パックまたはチューブから、液体若しくは流動物をペンチの挟む要領で適度に加圧して挟み、押し出し、最後の搾り出し口まで搾ることができる、搾る挟みに関する。
【背景技術】
【０００２】
近年、液体の詰め替え用パック、または、流動物等のレトルトパックが流通しているが、容器への詰め替え、または、移し変えをし易く考慮されているようであるが、パックから液体を搾り出すのに手頃な器具がなく、適当な棒状のもので搾り出しているがスッキリと搾り出せていないのが現状である。
【０００３】
チューブ等の搾り出し口近くに残液があるとき、最後まで手等で搾り出しているが中々きれいに搾り出せない。
【０００４】
スッキリ搾り出せていないパック、またはチューブを、ゴミ箱等に捨てる場合でも残液の漏れが生じ汚くなる場合が多い。
【発明の開示】
【発明が解決しようとする課題】
【０００５】
解決しようとする問題点は、市販されている液体若しくは流動物商品は、消費者側からすると、きちんと消費したい。提供者側からすると、ゴミ問題における資源の無駄遣いを今以上助長したくない。
【課題を解決するための手段】
【０００６】
本発明は、上握り部（５）と下握り部（４）に手を入れて、上搾り部（３）と下搾り部（２）の間に搾りたいものを、ペンチの挟む要領で適度に加圧して挟み、搾りたいものから、液体若しくは流動物を押し出すよう、最後の搾り出し口まで搾ることができる。更に搾り出し口の残液も、当器具にて搾り出し口を適度に再加圧することで全て搾り出すことができる。
【発明の効果】
【０００７】
本発明は、使用することで消費者は、パックまたはチューブの、液体若しくは流動物を全て搾り出して消費することが出来る。提供者は、残液漏れによるゴミ問題の改善ができる。
【発明を実施するための最良の形態】
【０００８】
以下、本発明の実施の形態を図面に基づき詳細に説明する。
【実施例１】
【０００９】
液体の詰め替え用パックの容器への詰め替え使用例を説明する。詰め替え用パックの容器の注ぎ口を開封して、その注ぎ口を容器の注入箇所に挿入後、手である程度パック容器の底部から液体を搾り出してから、その搾った部分を手で持つ。そして、当器具の上握り部（５）と下握り部（４）に手を入れて、上搾り部（３）と下搾り部（２）の間でその部分を、ペンチの挟む要領で適度に加圧して挟み、それより前の注ぎ口に向かって押し搾り出していく。注ぎ口に残液がある可能性がある場合、注ぎ口を当器具で適度に再加圧して搾り切る。注ぎ口が潰れてしまうかも知れないが、パックから容器へスッキリと搾り出すことができる。
【実施例２】
【００１０】
流動物等のレトルトパックの容器への移し変え使用例を説明する。レトルトパックを熱湯で加熱後、当器具の上握り部（５）と下握り部（４）に手を入れて、上搾り部（３）と下搾り部（２）の間の先で、ペンチの挟む要領で加圧して挟み、レトルトパックを取り出すことにも使用できる。以前からあるトングでは挟む力に限界がある。当発明品は、ペンチ式なので確実に掴み取り出せる。取り出した後は、レトルトパックを開封して、移し変え場所に開封箇所を逆さまにして、当器具の上握り部（５）と下握り部（４）に手を入れて、上搾り部（３）と下搾り部（２）の間に、ペンチの挟む要領で適度に加圧して挟み、中の流動物を出しながら搾り出す。そうすることで、パックからスッキリと搾り出すことができる。
【実施例３】
【００１１】
チューブ等の残液があるときの搾り出し使用例を説明する。チューブを搾り出し口近くまで、液体または溶液等を搾り出しても、搾り出し口はチューブほど柔らかくないため残液が滞る状態が殆どである。当器具の上握り部（５）と下握り部（４）に手を入れて、上搾り部（３）と下搾り部（２）の間で搾り出し口を挟み、ペンチの挟む要領で適度に再加圧することで、搾り出し口が潰れてしまうかも知れないが、スッキリと搾り出すことができる。
【実施例４】
【００１２】
上搾り部（３）と下握り部（４）、下搾り部（２）と上握り部（５）、それぞれが各支点部（１）にて一体化したものである。そしてその各支点部（１）で結合、または分離ができるようになっている。上述の使用例は結合状態での実施例である。尚、各支点部（１）にて分離すると、各搾り・握り部が一体化したものが２本できる。それらは、平面上にパックまたはチューブを置いて、搾り・握り部を用いて、液体等の搾り出し器具としても利用できる。
【００１３】
以上、本発明の実施の形態及び実施例を説明したが、本発明の使用範囲はこれらに限定されるものではない。搾り出しを目的としたものであれば、状況に応じて適宜使用されるものである。
【産業上の利用可能性】
【００１４】
本発明は、液体の詰め替え用パックの容器への詰め替え、または、流動物等のレトルトパックの移し変え、チューブ残液の搾り出し、液体パックの搾り出しなどに利用できる器具である。
【図面の簡単な説明】
【００１５】
【図１】本発明の正面図である。
【図２】本発明の平面図である。
【図３】本発明の下面図である。
【図４】本発明の背面図である。
【図５】本発明の右側面拡大図である。
【図６】本発明の左側面拡大図である。
【符号の説明】
【００１６】
１    支点部
２    下搾り部
３    上搾り部
４    下握り部
５    上握り部
【図１】
2006230565.tif 000003
【図２】
2006230565.tif 000004
【図３】
2006230565.tif 000005
【図４】
2006230565.tif 000006
【図５】
2006230565.tif 000007
【図６】
2006230565.tif 000008
(57)【要約】【課題】従来、例えば物を作る作業で必要とされ使われる小物や部品を仮置きする場所がなかったため様々な場所に置くことになり結果、小物や部品を紛失したり探したりすることがあり作業の妨げになっていた。そこで手早くスムーズに部品や小物を置くことの出来る磁石台付リストバンドを提供する。【解決手段】両端部（２）に係合可能な部分を設けたリストバンド（１）の表側に磁力を有する小物置（３）を着脱可能に設けた磁石台付きリストバンド（Ａ）。【選択図】図１
2006230539.tif 000002
【特許請求の範囲】
【請求項１】
両端部（２）に係合可能な手段を設けたリストバンド（１）の表側に磁力を有する小物置（３）を着脱可能に設けた磁石台付きリストバンド（Ａ）。
【発明の詳細な説明】
【技術分野】
【０００１】
本発明は、リストバンドに磁力を有する小物置を付け、磁力によって吸引される部品や小物などを仮置きすることが出来る、リストバンド型小物置に関するものである。
【背景技術】
【０００２】
例えば、従来組み立て作業や内装作業中などで、必要とされ、使われることの多い部品や小物の、仮置きする場所がなく、床に置いたりポケットに収納されたりしていた。また、手首の太さに合わせてリストバンドサイズを自由に調節でき、様々な用途に応じて小物入れを形成できさらに、個々の小物入れにキャップを付けることで、容易には中身が脱落しないリストバンドも提案されている。（例えば、特許文献１参照）
【０００３】
【特許文献１】特開２４００−２６１５４６号公報
【発明の開示】
【発明が解決しようとする課題】
【０００４】
上記特許文献１のリストバンドにあたっては、組み立て作業や内装作業中などで、使われることの多い部品や小物を置くことはできず、収納できる物もタバコ大の部品や小物に限られている。また、キャップの取り外しに手間がかかる為、作業中すぐに必要とされ使われる事の多い部品や小物をスムーズに取り出す事が難しくなり、そのため部品や小物を探したり、紛失したりすることがある。したがって、小物や部品を手元に置くことができ、なおかつ容易には脱落しないハンディタイプの小物置が望まれている。
本発明は、以上の問題点を解決するためのものである。
【課題を解決するための手段】
【０００５】
本発明は、両端部２に接合可能な部分を設けリストバンド１の表側に磁力を有する小物置を着脱可能に設けた磁石台付きリストバンドである。
【発明の効果】
【０００６】
本発明は、前記の様な構成である為、手首に巻きつけておくだけで、物を作る作業に必要とされ、使われる部品や小物をリストバンドの小物置に入れることで、手元に仮置きする事ができる。そのため、部品や小物を紛失する事もなく、探す手間も省けて、便利である。また、小物置は、磁力を有しているので、磁力によって吸引される部品や小物であれば、180度回転しても脱落させる心配なく激しい現場作業やさまざまな体勢での作業も可能である。さらに、小物置は、リストバンド内にある磁石の吸引力によって接合されてあるため、着脱自在になり小物置だけでの使用も可能である。
【発明を実施するための最良の形態】
【０００７】
本発明の実施の形態を添付の図面を参照しながら具体的に説明する。図１と図２は、本発明の実施例となる磁石台付リストバンドを示す。
【０００８】
本発明の磁石台付リストバンドＡは、本皮、合成皮、ナイロン、ビニール、金属、布製、のいずれか又は、それらの組み合わせによりなる、リストバンド１にワレ、カケ等の機械的強度に優れているネオジ磁石４を本皮、合成皮、ナイロン、ビニール、金属、布製、のいずれかによりなるリストバンド１と同様の素材のカバー５で覆い固定し、磁力を有する小物置３をネオジ磁石４の磁力によって、バンド１に着脱可能に設けている。
【０００９】
リストバンド１の両端部には、面ファスナー、スナップ、ホック、マエカン、ボタン、クラスプ、のいずれかの手段により係合可能としている。
【００１０】
磁力を有する小物置３の形状は、四角箱型に限らず、丸型、三角形型、テーパー状の形状や植物、果物、人の形、動物等のキャラクターを模した形状を造形する事も可能である。          
【００１１】
また、小物置３は、小型軽量で強力なネオジウム磁石を使用する事が望ましく、ネオジウム磁石の表面に吹きつけ塗装、電気ニッケルメッキ法等の防錆表面処理を施す。また、サビに強い磁石のサマリウムコバルト磁石や保磁力強いフェライト磁石の粉末を塩化ビニール、ゴム等に混ぜて形成する事もできる。さらに、様々な形状に対応できるネオジウムプラスチック磁石を使用する事も可能である。
【００１２】
本発明は、以上のような構造で、これを使用する時には図３に示すように、左右どちらかの手首に巻きつけリストバンド１の両端を固定し、リストバンドＡを巻いていない方の手で、例えば組み立て作業などに必要とされ、使われる部品や小物を仮置きし、作業の必要に応じて部品や小物をリストバンドが巻かれてない方の手で取り使用するとよい。
【図面の簡単な説明】
【００１３】
【図１】本発明の実施例を示す斜視図
【図２】本発明の実施例を示す上面図
【図３】本発明の使用状態を示す斜視図
【符号の説明】
【００１４】
Ａ磁石台付リストバンド
１リストバンド
２リストバンド両端部
３磁力を有する小物置
４ネオジ磁石
５カバー
【図１】
2006230539.tif 000003
【図２】
2006230539.tif 000004
【図３】
2006230539.tif 000005
(57)【要約】【課題】  ローマンシェード等の幕体を昇降させる日射遮蔽装置において、メリハリのある意匠を幕体に付与することにある。【解決手段】  昇降させる幕体に上下１列以上の左右に延長するフロントバーを配置する日射遮蔽装置において、フロントバーを幕体の前面側に逢着されて左右方向に延長又は整列する取付部材と、その取付部材に被せられて左右に延長する外被部材とから形成し、外被部材は、硬質合成樹脂製の割りスリーブ状管材とし、取付部材は、左右に延長する中心線に沿って生地に逢着される軟質合成樹脂製板材又は繊維性テープ材とする。【選択図】      図３
2006230426.tif 000002
【特許請求の範囲】
【請求項１】
昇降する幕体に少なくとも１本の左右に延長するフロントバーが配置される日射遮蔽装置において、前記フロントバーは前記幕体の生地の前面側に逢着されて左右方向に延長又は整列する取付部材と、前記取付部材に被せられて左右に延長する外被部材とからなることを特徴とする日射遮蔽装置の幕体。
【請求項２】
外被部材は、両端にキャップが嵌着されることを特徴とする請求項１に記載の日射遮蔽装置の幕体。
【請求項３】
外被部材は、硬質合成樹脂製又はアルミ型材製の割りスリーブ状管材であることを特徴とする請求項１に記載の日射遮蔽装置の幕体。
【請求項４】
外被部材は、Ｃ字形断面であり、内面中央に補強リムを備えることを特徴とする請求項３に記載の日射遮蔽装置の幕体。
【請求項５】
取付部材は、生地に逢着される軟質合成樹脂製板材であり、前記板材の横断面は、前面側に開口するコ字形凹部の上端部が上方に下端部が下方にそれぞれ折れて延長する形状であり、前記コ字形凹部に外被部材の補強リムが入ることを特徴とする請求項４に記載の日射遮蔽装置の幕体。
【請求項６】
取付部材は、生地に逢着される繊維製テープ材であることを特徴とする請求項１に記載の日射遮蔽装置の幕体。
【発明の詳細な説明】
【技術分野】
【０００１】
本発明は、ローマンシェード等の幕体を昇降させる日射遮蔽装置の幕体に関する。
【背景技術】
【０００２】
ローマンシェード等の幕体を昇降させる日射遮蔽装置において、平坦な生地からなる幕体の意匠性を向上するため、幕体の片面に複数の水平方向に延長する袋部を設け、その袋部にフロントバーを挿入し、幕体前面に横段模様を形成することは周知である。しかし、この袋部とフロントバーによる横段模様は表面が幕体の共生地であるため、意匠としては、メリハリに乏しいという問題があった。
【特許文献１】実開昭５８−１７８９８８号公報
【発明の開示】
【発明が解決しようとする課題】
【０００３】
本発明は、この問題を解決するためになされたものであり、その課題は、ローマンシェード等の幕体を昇降させる日射遮蔽装置において、メリハリのある意匠を幕体に付与することにある。
【課題を解決するための手段】
【０００４】
前記課題を達成するため、本発明が採用する手段は、幕体を昇降させる日射遮蔽装置において、幕体に少なくとも１本の左右に延長するフロントバーを配置し、そのフロントバーを幕体の前面側に逢着されて左右方向に延長又は整列する取付部材と、その取付部材に外装されて左右に延長する外被部材とから形成することを特徴とする。
【発明の効果】
【０００５】
本発明は、上記手段により、日射遮蔽装置の幕体前面において、幕体の平面生地から突出するフロントバーの外被部材が立体的なメリハリのある横段模様を形成するから、幕体前面の意匠性は格段に向上する。
【発明を実施するための最良の形態】
【０００６】
取付部材は、軟質合成樹脂製板材又は繊維製テープ材とし、幕体生地に逢着することが好ましい。外被部材は、硬質合成樹脂製又はアルミ型材製の割りスリーブ状管材とし、幕体生地の側端面から左右方向に滑らせて取付部材に脱着自在に被せることが可能なものが好ましい。必要であれば、外被部材の内部には変形を防止する補強リムを設け、外部には化粧フィルムを貼着する。
【実施例】
【０００７】
本発明を図面に示す実施例に基づいて説明する。図１及び図２は、本発明の幕体を備えるローマンシェードの前面図及び側面図、図３は、フロントバーの断面図、図４は、別のフロントバーの断面図である。
【０００８】
図１及び図２に示すように、ローマンシェード１の幕体２は、上端部がヘッドフレーム３に取着されて垂下する生地４からなる。生地４の前面側には複数のフロントバー５が上下等間隔に配置されている。フロントバー５は生地４の平坦な表面から突出し立体的なメリハリのある横段模様を形成する。フロントバー５の両側端にはキャップ６が嵌められる。
【０００９】
図３に示すように、フロントバー５は生地４に逢着される取付部材７と、その取付部材に被せられる外被部材８とからなる。取付部材７は、生地４の横幅すなわち左右方向に延長する軟質合成樹脂製の型板材であり、その横断面は、前面側に開口するコ字形凹部の上端部が垂直上方に、下端部が垂直下方にそれぞれ折れて延長する形状である。取付部材７は、その左右方向に延長する中心線に沿って生地４に逢着される。
【００１０】
外被部材８は、硬質合成樹脂製の割りスリーブ状管材であり、その横断面は、Ｃ字形であるが、内面中央から補強リム９が突出する。外被部材８の外周には、化粧フィルム１０が貼着されている。この外被部材８は、生地４の一方の側端部、例えば、左端部において、右端部を取付部材７の左端部に外嵌して左端側へ滑らせることにより容易に取付部材７に外挿することができる。このとき、リム９は、取付部材７のコ字形開口に入り、取付部材７の上下両縁は、外被部材８の上下凹部に入る。
【００１１】
取付部材７に外挿した外被部材８の両端にキャップ６を嵌めて外被部材８の生地４上の位置を固定する。外被部材８は生地４の平坦な表面から判然と突出し、立体形状としてメリハリのある横段模様を描く。又、外被部材８に貼着する化粧フィルム１０の色彩及び模様を適宜選択すると、幕体前面の意匠はさらに多様化する。。
【００１２】
生地４をクリーニングする場合、キャップ６を取り、外被部材８を左右方向に滑らせて取付部材７から引き抜き、生地４から外被部材８を外す。取付部材７は軟質であるから、生地４は取付部材７を付けたままでクリーニングすることができる。
【００１３】
図４に示すフロントバー５ａの取付部材７ａは、厚めの繊維製テープ材であり、外被部材８は、図３に示すものと同じである。取付部材７ａは、横断面が薄幅な矩形であり、左右方向に延長する中心線に沿って生地４に逢着される。外被部材８が外挿されると、取付部材７ａの上下両縁は、外被部材８の上下凹部に入る。このフロントバー５ａのその他の構成及び効果は、前記フロントバー５と同じである。
【図面の簡単な説明】
【００１４】
【図１】本発明の幕体を備えるローマンシェードの前面図、
【図２】図１のローマンシェードの側面図、
【図３】フロントバーの断面図、
【図４】別のフロントバーの断面図。
【符号の説明】
【００１５】
１：ローマンシェード
２：ヘッドフレーム
３：幕体
４：生地
５、５ａ：フロントバー
６：キャップ
７、７ａ：取付部材
８：外被部材
９：リム
１０：化粧フィルム
【図１】
2006230426.tif 000003
【図２】
2006230426.tif 000004
【図３】
2006230426.tif 000005
【図４】
2006230426.tif 000006
(57)【要約】【課題】本発明は、そばやうどん、の生地に一定の加工を加えて、そばうどんを製麺するための器具である。通常は大きな板や包丁を使用するが、作業が難しいのでこれを解決するために、簡単に一定の厚さに生地を延ばし、これを裁断することが出来る製麺用器具を提供する。【解決手段】生地を加工するための型枠を設ける（１）生地を延ばすためのローラーを設ける。（２）生地を裁断するためのカッターを設ける。（３）【選択図】図１
2006230414.tif 000002
【特許請求の範囲】
【請求項１】
そばやうどん、の生地を引き延ばし、及び裁断をする際の型枠により加工するための製麺用器具（１）。
【請求項２】
請求項１記載の生地を型枠に入れて、ローラーにより引き延ばすための製麺用器具（２）。
【請求項３】
請求項２記載の引き延ばした生地を型枠に入れて、カッターにより裁断するための製麺用器具（３）。
【発明の詳細な説明】
【技術分野】
【０００１】  本発明は、そばやうどん、を製麺するときに使用するものであって、そば及びうどんの生地を引き延ばし、その後細長く簡単に裁断することが出来る製麺用器具に関するものである。
【背景技術】
【０００２】  従来、そばやうどん、を作る際は、大きな木の板（１メイトル四方）などに麺棒で、そば及びうどん、の生地を引き延ばし、その後大きな包丁などでこれを３ミリメイトル程度の厚さに切っていたものが一般的である。
【発明の開示】
【発明が解決しようとする課題】
【０００３】  従来、そばやうどん、を製麺するには次のような問題点があった。大きな板に生地を均一（同じ厚さ）に延ばすことは、高度な技術と経験が必要とされている。加えてこの引き延ばした記事を３ミリメイター程度の均一に切ることは、最も難しく不揃いになってしまうことが多い。またこれを細長く裁断の際、生地を折りたたむので、生地同士が接着してしまうことが多いため、非常に難しいものである。しかし街中で見るそば職人などのような技術を得るには、長年かかるといわれており、これを習得することは、一般的には非常に大変のものである。本発明は以上の問題点を解決し、簡単に、そばうどんの生地を引き伸ばし、裁断出来るようになされたものである。
【課題を解決するための手段】
【０００４】  そばやうどんの生地を延ばしたり、裁断する際の加工するための型枠（１）を設ける。この生地を延ばすためのローラー（２）を設ける。延ばされた生地を裁断するためのカッター（３）を設ける。本発明は以上の構成により成る、簡単に出来るそば、うどん製麺用器具である。
【発明の効果】
【０００５】  そばやうどんの生地を簡単に一定の厚さ（３ミリメイター程度）に延ばすことが出来るため、従来のように大きな板を使用したり、数多く何回も延ばしたり丸めたりすることが無くなる。またこの生地を裁断するのに、大きな包丁を使わず安全に均一に裁断することが簡単に出来るため、製麺技術の向上につながり誰でもがより早く、手軽にそばやうどん、の製麺を仕上げることが出来る。
【発明を実施するための最良の形態】
【０００６】  以下本発明の実施の形態を説明する。
（イ）そば、うどんの生地を加工するための型枠（１）を設ける
（ロ）型枠（１）に置いた生地を一定の厚さに延ばすためのローラー（２）を設ける。
（ハ）型枠で延ばされた生地を更に一定の幅に、裁断するための裁断用カッター（３）を設ける。本発明は以上の構成より成る。
本発明を使用する場合は、先ず記事を型枠に入れてゆっくりと延ばしていく。生地が延ばしきれた際ローラーの太さと型枠の板との差が一定の厚さ（３ミリメイター程度）になっているので、どんなに力を加えてもこれ以上薄くなったり厚くなったりすることは無いので、出来上がった生地は全て３ミリメイター程度の厚さになっている。これを裁断用のカッターで切ることにより、そばやうどんが簡単にできることになる。なおこの他好みの太さの製麺をしたいときは、前述の引き延ばし用のローラーの種類を変えることにより、自由に使い分けが出来る。
【図面の簡単な説明】
【０００７】
【図１】本発明の斜視図
【符号の説明】
【０００８】１  生地加工用型枠
２  生地延ばし用ローラー
３  生地裁断用カッター
【図１】
2006230414.tif 000003
【図２】
2006230414.tif 000004
【図３】
2006230414.tif 000005
【図４】
2006230414.tif 000006
【手続補正書】
【提出日】平成18年6月14日(2006.6.14)
【手続補正２】
【補正対象書類名】明細書
【補正対象項目名】０００７
【補正方法】変更
【補正の内容】
【０００７】
【図１】本発明の斜視図
【図２】本発明の要部拡大の正面図
【図３】本発明の要部拡大の正面図
【図４】半発明の要部拡大の正面図